(57)【要約】【課題】本発明は２次放電が発生することがない構造のカードコネクタ１０を提供する。【解決手段】本目的はカード６０が挿抜されるカードコネクタ１０であって、カード６０と接触する接触部１４１を有する複数のコンタクト１４と、コンタクト１４が保持・配列されるとともにカード６０が挿入される嵌合口２８を有するハウジング１２と、ハウジング１２と一体若しくは別体でカード６０をコンタクト１４まで導くガイド部分を有するガイドフレーム１６と、抜去手段が装着されるガイドフレーム１６の一部を覆うシェル１８と、嵌合口先端側に配置されるカード６０の静電対策をする端子２０と、カード６０を抜去する抜去手段とを備えたカードコネクタ１０において、端子２０に基板接続側と反対側に突出する突出片２０１を設け、シェル１８に突出片２０１と接触する突出部１８２を設けることにより達成できる。【選択図】  図１
2007220485.tif 000002
【特許請求の範囲】
【請求項１】
カードが挿抜されるカードコネクタであって、前記カードと接触する接触部を有する複数のコンタクトと、該コンタクトが保持・配列されるとともに前記カードが挿入される嵌合口を有するハウジングと、該ハウジングと一体若しくは別体で前記カードを前記コンタクトまで導くガイド部分を有するガイドフレームと、抜去手段が装着される前記ガイドフレームの一部を覆うシェルと、前記嵌合口先端側に配置される前記カードの静電対策をする端子と、前記カードを抜去する抜去手段とを備えたカードコネクタにおいて、
前記端子に基板接続側と反対側に突出する突出片を設け、前記シェルに前記突出片と接触する突出部を設けることを特徴とするカードコネクタ。
【請求項２】
前記シェルに、前記突出片の反対側にも前記端子の倒れを防止する突出部を設けることを特徴とする請求項１記載のカードコネクタ。
【発明の詳細な説明】
【技術分野】
【０００１】
本発明は、パソコンやプリンタ等の電子・電気機器内に使用されるカードコネクタに関するもので、特にＥＳＤ（静電）対策を施した構造に関するものである。
【背景技術】
【０００２】
従来、種々の情報の媒体となる異なるカードが存在し、コネクタを情報機器に取り付け、コネクタを介して媒体の蓄積情報の取り出しまたは蓄積を行なっている。
また、カードとの接続にあたっては、コネクタにカードが挿入できる嵌合口を設け、該嵌合口内にコンタクトの接触部を突出させ、該接触部と前記カードが接触することで電気的導通が得られる構造になっている。前記カードを前記コネクタから抜き取るには、前記コネクタから前記カードの突出している部分が少ないために、下記特許文献１のようなイジェクト（抜去）手段が設けられている。
特許文献１〜特許文献２のようなカードコネクタが開示されている。
【特許文献１】特開２０００−５８１９７の要約によると、高さが低く、スタンダード実装とリバース実装とに簡易に対処可能で、構造が簡単で、しかも、スタンドオフが可変のＩＣカードコネクタを提供することを目的とし、フレーム部２は、合成樹脂製の一対のガイドフレーム３と、各ガイドフレームの一端を連結する金属製のブリッジ４とから略コ字形状に構成され、ブリッジにＩＣカードを排出するイジェクト機構の一部となるレバー５及びプレート６が組み込まれ、ガイドフレームの一方にスライド可能に取り付けられたイジェクトボタン８をスライドさせると、レバーの回転によってプレートがスライドし、ＩＣカードが排出され、また、ＩＣカードの表裏両面が逆になった状態での挿入を防止するため、一方のガイドフレームには、薄い極性キー３Ａが形成され、他方のガイドフレームには、厚い極性キーが形成され、両ガイドフレームは極性キーの部分を除いて対称で、左右両側の入れ替えが可能である構造のＩＣカードコネクタが開示されている。  ちなみに、特開２０００−５８１９７の特許請求の範囲には、請求項１として、フレーム部は、合成樹脂製の一対のガイドフレームと、前記各ガイドフレームの一端を連結する金属製のブリッジとから略コ字形状に構成され、前記ブリッジにＩＣカードを排出するイジェクト機構の一部となるレバー及びプレートが組み込まれ、前記ガイドフレームの一方に前記レバーを回転させるイジェクトボタンがスライド可能に取り付けられ、前記レバーの回転による前記プレートのスライドによって前記ＩＣカードが排出されることを特徴とするＩＣカードコネクタ。請求項２として、フレーム部は、合成樹脂製の一対のガイドフレームと、前記各ガイドフレームの一端を連結する金属製のブリッジとから略コ字形状に構成され、前記略コ字形状に構成されるフレーム部における合成樹脂製の一対のガイドフレームは、それぞれ開口部の反対側にＩＣカードの表裏両面が逆になった状態での挿入を防止するために相互に異なる極性キーを形成され、前記一対のガイドフレームは前記極性キーの部分を除いて対称に構成され、左右の入れ替えが可能であることを特徴とするＩＣカードコネクタ。請求項３として、フレーム部は、合成樹脂製の一対のガイドフレームと、前記各ガイドフレームの一端を連結する金属製のブリッジとから略コ字形状に構成され、前記略コ字形状に形成されるフレーム部における合成樹脂製の一対のガイドフレームには、それぞれアースラグが組み込まれ、前記アースラグはプリント基板に係止するためのフックピンを一体構造として有することを特徴とするＩＣカードコネクタ。請求項４として、前記アースラグはプリント基板に突き当たるための位置決め部を一体構造として有し、前記フックピン及び前記位置決め部の各高さが可変であることを特徴とする請求項３記載のＩＣカードコネクタ等が開示されている。
【特許文献２】特開２００３−２０８９１５の要約によると、衝撃力を受けても、基板から離脱したり、曲がったりしないことを目的とし、コンタクト１０を保持したインシュレータ２０を基板１２０に実装して保持するよう前記基板に固定される固定部材３０とを含み、接続方向Ａと離脱方向Ｂで接続対象物１００を前記コンタクト１０に接続・離脱可能とするコネクタにおいて、前記固定部材３０は前記接続対象物１００の前記接続方向の端面に当接するよう前記インシュレータの対向面２０ａから前記離脱方向へ突出している当接面３０ｃを有している構造のＩＣカードコネクタが開示されている。  ちなみに、特開２００３−２０８９１５の特許請求の範囲には、請求項１として、導電性のコンタクトと、該コンタクトを保持したインシュレータと、該インシュレータを基板に実装して保持するよう前記基板に固定される固定部材とを含み、接続方向と該接続方向とは逆向きの離脱方向で接続対象物を前記コンタクトに接続・離脱可能とするコネクタにおいて、前記固定部材は、前記コンタクトへ前記接続対象物を前記接続方向で移動して前記コンタクトに接続する際に前記接続対象物の前記接続方向における端面に当接するよう前記端面に対向する前記インシュレータの対向面から前記離脱方向へ突出している当接面を有していることを特徴とするコネクタ。請求項２として、請求項１記載のコネクタにおいて、前記固定部材は、前記インシュレータへ圧入される板形状の圧入部と、前記基板に固定される板形状の固定部とを有し、前記当接面が前記固定部材の板面を交差する板厚方向の板厚面であることを特徴とするコネクタ等が開示されている。
【発明の開示】
【発明が解決しようとする課題】
【０００３】
一般的に使用されているカードには、静電気が蓄積されていることが多く、静電気が蓄積されたままの状態で前記コネクタのコンタクトに接触すると、ショートや誤動作の原因に繋がって静します。そこで、通常は、上述した特許文献のように、静電気対策用コンタクト（端子）を用いて、前記カードが前記コンタクトと接触する前に前記静電気対策用コンタクト（端子）と前記カードとを接触させ、前記静電気対策用コンタクト（端子）を介してフレームグランド（ＦＧ）や基板へ落す方法が取られている。
しかしながら、特許文献のような構造では、前記静電気対策用コンタクト（端子）からフレームグランド（ＦＧ）や基板に落ちる前に、前記静電気対策用コンタクト（端子）と金属製のブリッジとの小隙間で放電（これを２次放電という）が発生してしまう場合があった。２次放電が発生すると、それにともないノイズが発生し、ノイズが信号ラインにのってしまい、カードが誤動作に繋がってしまうという解決すべき課題があった。
【０００４】
本発明は、このような従来の問題点に鑑みてなされたもので、２次放電が発生することがない構造のカードコネクタを提供せんとするものである。
【課題を解決するための手段】
【０００５】
上記目的は、カード６０が挿抜されるカードコネクタ１０であって、前記カード６０と接触する接触部１４１を有する複数のコンタクト１４と、該コンタクト１４が保持・配列されるとともに前記カード６０が挿入される嵌合口２８を有するハウジング１２と、該ハウジング１２と一体若しくは別体で前記カード６０を前記コンタクト１４まで導くガイド部分を有するガイドフレーム１６と、抜去手段が装着される前記ガイドフレーム１６の一部を覆うシェル１８と、前記嵌合口先端側に配置される前記カード６０の静電対策をする端子２０と、前記カード６０を抜去する抜去手段とを備えたカードコネクタ１０において、前記端子２０に基板接続側と反対側に突出する突出片２０１を設け、前記シェル１８に前記突出片２０１と接触する突出部１８２を設けることにより達成できる。
【０００６】
前記シェル１８に、前記突出片２０１の反対側にも前記端子２０の倒れを防止する突出部１８２を設ける。
【発明の効果】
【０００７】
以上の説明から明らかなように、本発明のカードコネクタ１０によると、次のような優れた顕著な効果が得られる。
（１）カード６０が挿抜されるカードコネクタ１０であって、前記カード６０と接触する接触部１４１を有する複数のコンタクト１４と、該コンタクト１４が保持・配列されるとともに前記カード６０が挿入される嵌合口２８を有するハウジング１２と、該ハウジング１２と一体若しくは別体で前記カード６０を前記コンタクト１４まで導くガイド部分を有するガイドフレーム１６と、抜去手段が装着される前記ガイドフレーム１６の一部を覆うシェル１８と、前記嵌合口先端側に配置される前記カード６０の静電対策をする端子２０と、前記カード６０を抜去する抜去手段とを備えたカードコネクタ１０において、前記端子２０に基板接続側と反対側に突出する突出片２０１を設け、前記シェル１８に前記突出片２０１と接触する突出部１８２を設けているので、確実に２次放電を防ぐことができ、２次放電を防げるためにノイズが発生することもなく、前記カードが誤動作することがない。
（２）前記シェル１８に、前記突出片２０１の反対側にも前記端子２０の倒れを防止する突出部１８２を設けているので、確実に前記端子２０の突出片２０１と前記シェル１８の突出部１８２が接触でき、２次放電を防止できる。
【発明を実施するための最良の形態】
【０００８】
図１から図１３に基づいて、本発明の一実施例について説明する。本実施例は、コンパクトフラッシュカード（登録商標）が挿入されるものである。図１（Ａ）はカード挿入方向上方よりみた本発明のカードコネクタの斜視図であり、（Ｂ）はカード挿入方向下方よりみた本発明のカードコネクタの斜視図である。図２（Ａ）はカードが挿入された状態のカード挿入方向上方よりみた本発明のカードコネクタの斜視図であり、（Ｂ）はカードが挿入された状態のカード挿入方向下方よりみた本発明のカードコネクタの斜視図である。図３はシェルにイジェクトボタンとカムピンフレームとハートカムプレートと弾性体が組まれた状態のものに、端子が接触している状態の部分拡大斜視図である。図４（Ａ）はシェル側に保持される端子の斜視図であり、（Ｂ）はシェルの反対側に保持される端子の斜視図であり、図５はシェルの斜視図である。図６はハウジングの斜視図であり、図７はコンタクトの斜視図である。図８（Ａ）は嵌合口上方からみたガイドフレームの斜視図であり、（Ｂ）は嵌合口下方からみたガイドフレームの斜視図であり、図９はスライダープレートの斜視図である。図１０はスライダアームの斜視図であり、図１１は金属フレームの斜視図である。図１２はシェルに、イジェクトボタンとカムピンフレームとハートカムプレートと弾性体が組まれた状態の斜視図であり、図１３は固定具の斜視図である。
本発明のカードコネクタ１０は、少なくともコンタクト１４とハウジング１２とカード抜去手段とシェル１８と端子２０とガイドフレーム１６とを備えている。
【０００９】
構成部品を説明する前に、カード６０について説明する。前記カード６０はプリンターやカードリーダ等に使用されるものであって、前記カード６０には主にコンタクト１４の接触部１４１と接触する接触部と該接触部から回路へ繋がるパターンと該パターン上に搭載されたＩＣやＣＰＵと接続する接続部とを備えている。本発明のカードコネクタ１０に使用されるカード６０としては、マルチメディアカード（登録商標）、ＳＤカード（Secure  Digital  memory  card、登録商標）、Mini−ＳＤカード（Mini  Secure  Digital  memory  card、登録商標）、メモリースティック（登録商標）、スマートメディア（登録商標）、コンパクトフラッシュ（登録商標）、ｘDカード（登録商標）、RS−MMCカード（Reduce Size MMC card、登録商標）、Transflashカード（登録商標）、Sカード（S card、登録商標）、Memory-Stick  Duo（登録商標）などのように、ＣＰＵあるいはメモリー用のＩＣが内臓されたＩＣカードが挙げられる。
本実施例のカードコネクタ１０には、コンパクトフラッシュカード（登録商標）（ＣＦカード）が挿入できる構造になっている。
【００１０】
構成部品について説明する。
まず、本発明のポイントである端子２０について説明する。前記端子２０は金属製であり、公知技術のプレス加工によって製作されている。前記端子２０の材質としては、バネ性や導電性などが要求されるので、黄銅やベリリウム銅やリン青銅等を挙げることができる。前記端子２０は、前記カードフレーム１６の両側のガイド部１６２に各１個ずつ装着される。それぞれの前記端子２０には少なくとも前記カード６０に接触するカード接触部２０２と前記ガイドフレーム１６に係合するロック部２０５及び係合片２０４と基板へ接続するための接続脚部２０３とを有している。但し、前記シェル１８とイジェクト手段が装着されている側の前記端子２０には、前記シェル１８の突出部１８２と接触する突出片２０１がさらに有している。
【００１１】
前記シェル１８とイジェクト手段が装着されている側の前記端子２０には、図４のように基板接続側と反対側に突出する突出片２０１が設けられている。該突出片２０１の役割は、前記シェル１８の突出部１８２と接触することで、２次放電を防ぐためのものである。前記突出片２０１の大きさや形状は、前記シェル１８の突出部１８２と接触できればよく、コネクタの小型化や強度や接触性等を考慮して適宜設計する。本実施例では板状片にし、１．２〜１．６ｍｍ程度突出させている。
また、前記端子２０には、前記突出片２０１と反対側（基板接続側）に突出した略二股状をした接続脚部２０３が設けられている。前記接続脚部２０３は二股状にすることでバネ性を持たせ、基板に固定（挿入）し易くしており、その形状は基板に挿入・固定できればよく、強度や役割を考慮して適宜設計する。
【００１２】
前記端子２０には、前記カード６０挿入側に突出し、かつ、前記カード６０と接触するように、カード接触部２０２が設けられている。このカード接触部２０２は前記カード６０と接触することで、静電気を前記端子２０を介して基板に落すためのものである。前記カード接触部２０２の形状・大きさは、前記カード６０に接触できれば如何なるものでもよいが、このような役割（静電気を基板へ落す）や接触性や強度等を考慮して適宜設計する。前記カード接触部２０２の先端は前記カード６０を傷つけることがなく、接触し易いように湾曲させることが望ましい。
また、前記端子２０には、前記カードフレーム１６に係合し、固定するための略コ字形状をしたロック部２０５が設けられている。前記ロック部２０５は前記カードフレーム１６に係合でき、固定できればよく、バネ性や強度等を考慮して適宜設計する。前記ロック部２０５の中央部が前記ロック部２０５に弾性を持たせるために分離させている。
【００１３】
前記端子２０には、前記端子２０を垂直に保持できるように前記ロック部２０５の反対側に略Ｌ字形状をした係合片２０４が幅方向両側に設けられている。前記係合片２０４は前記ロック２０５と一緒になって前記端子２０を前記カードフレーム１６に垂直に固定するもので、このように固定できれば形状・大きさはどのようなものでもよい。前記係合片２０４の形状・大きさは強度や役割等を考慮して適宜設計している。
【００１４】
次に、もう一つのポイント部分である前記シェル１８について説明する。前記シェル１８は金属製であり、公知技術のプレス加工によって製作されている。前記シェル１８の材質としては、加工性や強度や導電性やコストなどが要求されるので、黄銅やベリリウム銅やリン青銅等を挙げることができる。前記シェル１８は図５のように断面略倒Ｕ形状をしており、前記シェル１８は少なくとも前記端子２０の突出片２０１及び接続脚部２０４に接触する突出部１８２、１８２と抜去手段が装着される前記ガイドフレーム１６の一部を覆う係合凹部１８１と前記ハートカムプレート３４を押圧する押圧片１８３とを有している。
【００１５】
前記シェル１８は、前記イジェクトボタン３０と前記カムピンプレート３２と前記ハートカムプレート３４と前記弾性体３６とが一体になった部分を覆うものである。そのため、前記シェル１８には、図５にように前記イジェクトボタン３０と前記カムピンプレート３２と前記ハートカムプレート３４と前記弾性体３６とが一体になった部分が挿入できる係合凹部１８１が設けられている。前記係合凹部１８１の形状・大きさは、前記イジェクトボタン３０と前記カムピンプレート３２と前記ハートカムプレート３４と前記弾性体３６とが一体になった部分が挿入でき、かつ、前記ガイドフレーム１６に固定できれば如何なるものでもよいが、加工性や強度や導電性やコスト等を考慮して適宜設計している。
また、前記係合凹部１８１内には、前記ハートカムプレート３４を前記カムピンプレート３２側に押圧するための押圧片１８３が設けられている。前記押圧片１８３の形状・大きさ・位置は、前記ハートカムプレート３４を前記カムピンプレート３２側に押圧できればよく、この役割やバネ性や強度等を考慮して適宜設計する。
【００１６】
前記シェル１８には、前記端子の突出片２０１と接触する突出部１８２が設けられている。前記突出部１８２は、前記端子２０の突出片２０１と接触できる位置に設けられている。前記突出部１８２の形状・大きさは、前記突出片２０１と接触すればよく、強度や接触力や導通性や加工性等を考慮して適宜設計されている。本実施例では略台形状に突出させている。
また、前記端子２０を垂直に保持することを考えると、前記突出部１８２は厚み方向両側に設けることが望ましい。
【００１７】
次に、前記ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ハウジング１２は図６のように略倒立方体であり、前記ハウジング１２には前記コンタクト１４を挿入する挿入孔１２１が設けられている。前記挿入孔１２１の形状及び大きさは前記コンタクト１４を保持できればよく、前記コンタクト１４の形状・大きさや前記ハウジング１２の強度等を考慮して適宜設計する。また、前記ハウジング１２の長手方向両側には前記固定具３８が挿入される孔が設けられている。
【００１８】
次に、前記コンタクト１４について説明する。前記コンタクト１４は金属製であり、公知技術のプレス加工によって製作されている。前記コンタクト１４の材質としては、バネ性や導電性などが要求されるので、黄銅やベリリウム銅やリン青銅等を挙げることができる。前記コンタクト１４は図７のように略クランク形状をしており、前記コンタクト１４は少なくとも前記カード６０に接触する接触部１４１と前記ハウジング１２に保持される固定部１４２と基板（図示せず）に接続する接続部１４３とを有している。前記コンタクト１４の接触部１４１は、前記ハウジング１２から嵌合口２８内に突出するように圧入や引っ掛け等により固定されている。前記嵌合口２８への前記接触部１４１の突出量は、前記カード６０の仕様等を考慮して適宜設計する。
【００１９】
次に、前記ガイドフレーム１６について説明する。前記ガイドフレーム１６は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ガイドフレーム１６は図８のように略Ｕ字形状であり、前記ガイドフレーム１６は少なくとも長手方向にカード挿入方向に対称に配置されたガイド部１６２とそれらを連結する連結部１６１とを有している。
【００２０】
前記ガイドフレーム１６と前記ハウジング１２とで、前記カード６０が挿入される嵌合口２８を形成している。対称に設けられた前記ガイド部１６２の内側には、前記カード６０を前記コンタクト１４まで導くためのガイド溝１６３が設けられている。前記ガイド溝１６３の大きさ・形状は前記カード６０を前記コンタクト１４まで導ければよく、この役割や前記カード６０の形状・大きさや前記ガイド部１６２の強度等を考慮して適宜設計する。
また、前記ガイド部１６２の前記カード６０挿入側と反対側には、略Ｌ字形状をした前記カード６０が突き当たるカード突当面１６４が設けられている。前記カード突当面１６４は前記スライダプレート２２の押出片２２２が引っかかる位置決めの役目も有している。
さらに、前記ガイド部１６２の前記カード突当面１６４側には、前記金属フレーム２６の穴２６５と係合する突起１６８が設けられ、前記突起１６８と前記穴２６５とが係合することで位置決めを行なっている。
【００２１】
前記ガイド部１６２の前記カード挿入側には、前記端子２０のカード接触部２０２が前記嵌合口２８内に突出するための孔１６７が設けられている。前記孔１６７の大きさ・形状は前記カード接触２０２が突出できればよく、強度や役割を考慮して適宜設計している。本実施例では加工性から四角形にしている。
また、前記ガイド部１６２には、前記孔１６７付近に前記端子２０のロック部２０５が係合する引っかかり部１６５と前記係合片２０４が係合する係止溝１６６とが設けられている。前記引っかかり部１６５及び前記係止溝１６６の大きさ・形状は前記端子２０が垂直に保持できればよく、役割や強度や加工性を考慮して適宜設計している。
前記引っかかり部１６５と前記係止溝１６６及び前記孔１６７の位置は、前記端子２０の役割（静電対策）や強度等を考慮して適宜設計する。
【００２２】
次に、前記スライダプレート２２について説明する。前記スライダプレート２２は金属製であり、公知技術のプレス加工によって製作されている。前記スライダプレート２２の材質としては、加工性や強度や導電性や摺動性などが要求されるので、黄銅やベリリウム銅やリン青銅等を挙げることができる。前記スライダプレート２２は図９のように略板状片であり、前記スライダプレート２２は少なくとも前記カード６０を押出す押出片２２２と前記スライダプレート２２を前記カード挿入方向に対して並行に動かすためのガイド片２２３と前記金属フレーム２６に係合する係止片２２４と前記スライダアーム２４に係合する係止突片２２１とを有している。
【００２３】
前記スライダプレート２２は前記カード６０を抜去するための部品であり、前記スライダプレート２２には長手方向両側に前記カード６０を押し出すための略Ｌ字形状をした押出片２２２が設けられている。前記押出片２２２は前記カード６０を押し出せればよく、この役割や強度や押し出す際のバランス等を考慮して適宜設計している。
また、前記スライダプレート２２の長手方向中央部には、前記スライダアーム２４の係合孔２４３と係合する係止突片２２１が設けられている。前記係止突片２２１と前記係合孔２４３を係合させ、前記スライダプレート２２と前記スライダアーム２４とを連結させることで、前記スライダアーム２４が動いた際に前記スライダプレート２２も連動して動くようにするためである。
【００２４】
前記スライダプレート２２には長手方向両側に前記金属フレーム２６の係止孔２６４と係合する係止片２２４及びガイド片２２３が設けられている。前記ガイド片２２３は前記ガイドフレーム１６のガイド部１６２の側面に接することで、前記スライダプレートを前記カード挿入方向に対して並行に動かすためのものものである。前記係止片２２４は、前記金属フレーム２６の係止孔２６４に係合させることで、前記カード挿入方向に対して並行に動かし、かつ、厚み方向に対しても変動しないようにするためのものである。前記ガイド片２２３及び前記係止片２２４の大きさ・形状はこの役割や強度や加工性や摺動性等を考慮して適宜設計している。本実施例では、図９のように前記ガイド片２２３の形状は前記カード挿入方向と反対方向に突出し、その先端を湾曲させた板状片にした。また、本実施例では、図９のように前記係止片２２４の形状は前記カード挿入側に突出し、その先端を凸出させた板状片にした。
前記ガイド片２２３及び前記係止片２２４の位置は上述の役割やスムーズな摺動性や摺動時のバランス等を考慮して適宜設計している。
【００２５】
次に、前記スライダアーム２４について説明する。前記スライダアーム２４は金属製であり、公知技術のプレス加工によって製作されている。前記スライダアーム２４の材質としては、加工性や強度や導電性や回動（回転）性などが要求されるので、黄銅やベリリウム銅やリン青銅等を挙げることができる。前記スライダアーム２４は図１０のように略板状片であり、前記スライダアーム２４は少なくとも前記スライダプレート２２の係止突片２２１と係合する係合孔２４３と前記金属フレーム２６の軸２６２に軸着する軸受２４２と前記カムピンプレートの押圧面３２２によって押圧される押受片２４１とを有している。
【００２６】
前記スライダアーム２４には、一方端側に前記カード挿入方向へ突出し、前記カムピンプレート３２の押圧面３２２によって押される押受片２４１が設けられ、もう一方端側には前記スライダプレート２２の係止突片２２１と係合する係合孔２４３が設けられている。前記押受片２４１及び前記係合孔２４３の形状・大きさは役割や下述するような回動時のスムーズ性や強度等を考慮して適宜設計する。
また、前記スライダアーム２４の長手方向ほぼ中央部には、前記金属フレーム２６の軸２６２と軸着する軸受２４２が設けられている。前記軸受２４２の形状・大きさは前記軸２６２に軸着できればよく、役割や強度や加工性を考慮して適宜設計している。
上述のように、前記スライダアーム２４の軸受２４２と前記金属フレーム２６の軸２６２とを軸着させ、かつ、前記スライダアーム２４の係合孔２４３と前記スライダプレート２２の係止突片２２１とを係合させ、前記スライダプレート２２と前記スライダアーム２４と前記金属フレーム２６とを連結させることで、前記スライダアーム２４が前記金属フレーム２６の軸２６２を支点に回動した際に前記スライダプレート２２も連動して動くようにするためである。
【００２７】
次に、前記金属フレーム２６について説明する。前記金属フレーム２６は金属製であり、公知技術のプレス加工によって製作されている。前記金属フレーム２６の材質としては、加工性や強度や導電性などが要求されるので、黄銅やベリリウム銅やリン青銅等を挙げることができる。前記金属フレーム２６は図１１のように略Ｕ字形状をしており、前記金属フレーム２６は少なくとも前記ガイドフレーム１６のガイド部１６２に係合する係合溝２６１と前記スライダアーム２４の軸受２４２と軸着する軸２６２と前記スライダアーム２４の係止片２２４と係合する係止孔２６４と前記カード６０に接触する接触片２６３とを有している。
【００２８】
前記金属フレーム２６には、長手方向両側に前記カード挿入側に突出した断面略倒Ｕ字形状をした係合部２６６が設けられている。前記係合部２６６の先端には、前記カード６０の上面と接触する接触片２６３が設けられている。
また、断面略倒Ｕ字形状をした前記係合部２６６には、前記ガイドフレーム１６のガイド部１６２の一部と係合する係合溝２６１が設けられている。前記係合溝の大きさ・形状は、前記ガイドフレーム１６のガイド部１６２の一部に係合できればよく、ガイド部６１２の大きさやコネクタの小型化や強度等を考慮して適宜設計している。
【００２９】
前記係合部２６６には、前記スライダプレート２２の係止片２２４と係合する係止孔２６４と前記ガイドフレーム１６の突起１６８と係合する穴２６５とが設けられている。前記係止孔２６４及び前記穴２６５の大きさ・形状は、上述した役割や強度や加工性等を考慮して適宜設計している。
また、前記金属フレーム２６には、前記スライダアーム２４の軸受２４２に対応する位置に前記軸受２４２と軸着される軸２６２が設けられている。前記スライダアーム２４の軸受２４２と前記金属フレーム２６の軸２６２とを軸着させ、かつ、前記スライダアーム２４の係合孔２４３と前記スライダプレート２２の係止突片２２１とを係合させ、前記スライダプレート２２と前記スライダアーム２４と前記金属フレーム２６とを連結させることで、前記スライダアーム２４が前記金属フレーム２６の軸２６２を支点に回動した際に前記スライダプレート２２も連動して動くようにするためである。
【００３０】
次に、図１２に基づいて、前記シェル１８に、前記イジェクトボタン３０と前記カムピンプレート３２と前記ハートカムプレート３４と前記弾性体３６とが一体になったものについて説明する。この一体構造のものは図１２のように略倒立方体をしており、前記カード６０をイジェクトするためのものである。前記イジェクトボタン３０と前記カムピンプレート３２と前記ハートカムプレート３４は、それぞれ電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。また、前記弾性体３６は金属製であり、仕様に応じて市販品のコイルバネを購入している。
【００３１】
前記イジェクトボタン３０は略直方体をし、一方端側に操作部が設けられ、もう一方端側にピン３０１が設けられている。前記カムピンプレート３２も略直方体をし、一方端側に孔３２１が設けられ、もう一方端側に押圧面３２２と移動ピン３２３とが設けられている。前記ハートカムプレート３４も略直方体をし、一方端側に前記弾性体３６と係合する突出ピン３４２が設けられ、もう一方端側にハートカム溝３４１が設けられている。
前記イジェクトボタン３０のピン３０１に前記カムピンプレート３２の孔３２１が係合し、前記カムピンプレートの移動ピン３２３が前記ハートカムプレート３４のハートカム溝３４１に係合し、前記弾性体３６に前記ハートカムプレート３４の突出ピン３４２が係合し、かつ、前記弾性体３６を前記ハートカムプレート３４と前記イジェクトボタン３０とで狭持するように、前記イジェクトボタン３０と前記カムピンプレート３２と前記ハートカムプレート３４と前記弾性体３６とが一体になっている。
【００３２】
次に、固定具３８について説明する。前記固定具３８は金属製であり、公知技術のプレス加工によって製作されている。前記固定具３８の材質としては、加工性や寸法安定などが要求されるので、黄銅やベリリウム銅やリン青銅等を挙げることができる。
前記固定具３８は、前記カードコネクタ１０を基板に固定した際に固定（保持）強度を高めるものであり、前記ハウジング１２に固定する固定部３８１と基板に接続する接続部とを有している。
【００３３】
最後に、前記カード６０のイジェクト方法について説明する。
まず、図２のように前記カード６０が前記カードコネクタ１０に挿入された状態で、前記イジェクトボタン３０の操作部３０２を前記カード挿入方向に押込む。
すると、一体に組まれた前記カムピンプレート３２の移動ピン３２３が前記ハートカムプレート３４のハートカム溝３４１内を移動する。
次に、前記ハートカム溝３４１内を移動していくと、前記カムピンプレート３２の押圧面３２２で、前記スライダアーム２４の押受片２４１をカード挿入方向に押すことになる。
すると、前記スライダアーム２４の軸受２４２に記金属フレーム２６の軸２６２が軸着されているため、軸２６２を支点にして前記スライダアーム２４が回動する。
前記スライダアーム２４が回動すると、前記スライダアームの係合孔２４３と前記係止突片２２１とが係合されているために、前記スライダアーム２４の回動が前記スライダプレート２２の並行移動になる。
前記スライダプレート２２が並行移動することで、前記スライダプレート２２の押出片２２２により前記カード６０をカード挿入方向とは逆側に押上げ（抜去）ることになる。この並行移動する際に、前記スライダプレート２２のガイド片２２３や係止片２２４により確実に変更移動する。
【産業上の利用可能性】
【００３４】
本発明の活用例としては、パソコンやプリンタ等の電子・電気機器内に使用されるカードコネクタ１０に活用され、特にＥＳＤ（静電）対策を施した構造に関するものである。
【図面の簡単な説明】
【００３５】
【図１】（Ａ）  カード挿入方向上方よりみた本発明のカードコネクタの斜視図である。（Ｂ）  カード挿入方向下方よりみた本発明のカードコネクタの斜視図である。
【図２】（Ａ）  カードが挿入された状態のカード挿入方向上方よりみた本発明のカードコネクタの斜視図である。（Ｂ）  カードが挿入された状態のカード挿入方向下方よりみた本発明のカードコネクタの斜視図である。
【図３】シェルにイジェクトボタンとカムピンフレームとハートカムプレートと弾性体が組まれた状態のものに、端子が接触している状態の部分拡大斜視図である。
【図４】（Ａ）  シェル側に保持される端子の斜視図である。（Ｂ）  シェルの反対側に保持される端子の斜視図である。
【図５】シェルの斜視図である。
【図６】ハウジングの斜視図である。
【図７】コンタクトの斜視図である。
【図８】（Ａ）  嵌合口上方からみたガイドフレームの斜視図である。（Ｂ）  嵌合口下方からみたガイドフレームの斜視図である。
【図９】スライダープレートの斜視図である。
【図１０】スライダアームの斜視図である。
【図１１】金属フレームの斜視図である。
【図１２】シェルに、イジェクトボタンとカムピンフレームとハートカムプレートと弾性体が組まれた状態の斜視図である。
【図１３】固定具の斜視図である。
【符号の説明】
【００３６】
１０      カードコネクタ
１２      ハウジング
１２１    挿入孔
１４      コンタクト
１４１    接触部
１４２    固定部
１４３    接続部
１６      ガイドフレーム
１６１    連結部
１６２    ガイド部
１６３    ガイド溝
１６４    カード突当面
１６５    引っかかり部
１６６    係止溝
１６７    孔
１６８    突起
１８      シェル
１８１    係合凹部
１８２    突出部
１８３    押圧片
２０      端子
２０１    突出片
２０２    カード接触部
２０３    接続脚部
２０４    係合片
２０５    ロック部
２２      スライダープレート
２２１    係止突片
２２２    押出片
２２３    ガイド片
２２４    係止片
２４      スライダアーム
２４１    押受片
２４２    軸受
２４３    係合孔
２６      金属フレーム
２６１    係合溝
２６２    軸
２６３    接触片
２６４    係止孔
２６５    穴
２６６    係合部
２８      嵌合口
３０      イジェクトボタン
３０１    ピン
３０２    操作部
３２      カムピンプレート
３２１    孔
３２２    押圧面
３２３    移動ピン
３４      ハートカムプレート
３４１    ハートカム溝
３４２    突出ピン
３６      弾性体
３８      固定具
３８１    固定部
３８２    接続部
６０      カード
【図１】
2007220485.tif 000003
【図２】
2007220485.tif 000004
【図３】
2007220485.tif 000005
【図４】
2007220485.tif 000006
【図５】
2007220485.tif 000007
【図６】
2007220485.tif 000008
【図７】
2007220485.tif 000009
【図８】
2007220485.tif 000010
【図９】
2007220485.tif 000011
【図１０】
2007220485.tif 000012
【図１１】
2007220485.tif 000013
【図１２】
2007220485.tif 000014
【図１３】
2007220485.tif 000015